(57)【要約】    【課題】  噴射操作後に定量の内容物を継続的に微量噴射するものであって、液溜室（定量室）に内容物が残留せず、また、目視によって噴射操作後の噴射状態や噴射量を確認することができるエアゾール容器を提供する。    【解決手段】  耐圧容器１１と、その耐圧容器の開口部に取り付けられるバルブ１２と、そのバルブ１２に取り付けられた噴射部材１３とからなり、噴射部材１３が透光性を有する細長管１４と、その細長管に取り付けられた微量噴射用の噴射孔２７とを備えており、噴射操作後に定量に微量噴射するエアゾール容器１０。【選択図】  図１
2005218940.tif 000002
【特許請求の範囲】
【請求項１】
耐圧容器と、その耐圧容器の開口部に取り付けられるバルブと、そのバルブに取り付けられる噴射部材とからなるエアゾール容器であって、
前記噴射部材が透光性を有する管状の液溜室と、
その液溜室に設けられる微量噴射用の噴射孔とを備えており、
噴射操作後に定量的に微量噴射するエアゾール容器。
【請求項２】
前記液溜室が細長管であり、この細長管の全長が目視できるように配置されている請求項１記載のエアゾール容器。
【請求項３】
噴射操作後の微量噴射時間が３秒以上である請求項１記載のエアゾール容器。
【発明の詳細な説明】
【技術分野】
【０００１】
本発明はエアゾール容器に関する。さらに詳しくは、容器に充填された内容物（エアゾール組成物）を噴射操作後に定量で、継続的に微量噴射するエアゾール容器に関する。
【背景技術】
【０００２】
【特許文献１】特開２００２−６８３４４号公報
【特許文献２】特開２００３−３２０２８１号公報
【特許文献３】特開２０００−１１８５８０号公報
【０００３】
従来のエアゾール容器は使用者の噴射操作によって所定量あるいは多量の内容物を目的空間内に拡散噴射させることができるため、空間用消臭剤や芳香剤、殺虫剤などの短時間でその内容物の効果を得たい場合に用いられている。しかし、噴射操作を停止させるとその噴射が止まるため、その効果は長く持続しない。また、噴射操作後エアゾール容器のステムを継続的に押圧しつづける噴射部材あるいはバルブを備えたいわゆる全量噴射タイプのエアゾール容器が知られている。これにより使用者の噴射操作後も効果を持続させることができる。このようなものとして、避難した部屋全体に殺虫成分を含む内容物を拡散させる薫蒸タイプのエアゾール容器が知られている。しかし、ステムを継続的に押圧しつづけるため、一度噴射操作を行うと内容物をすべて噴射してしまう。
【０００４】
近年、エアゾール容器は様々な用途に用いられており、様々なエアゾール容器が開発されている。特許文献１には一回の押圧動作で継続して定量の内容物を噴射することができるものが開示されている。このエアゾール容器は内容物を一時蓄える収納室を備え、内容物の収納室への導入量が排出量より大きい噴射部材を取り付けている。これにより、使用者が噴射部材を押圧することにより、エアゾール容器が開放され収納室に内容物が蓄積される。噴射操作後、その蓄積された所定量の内容物は収納部から噴射孔まで連結するディップチューブ（噴出管）を介して継続的に噴射される。しかし、排出量を少なくした場合には、正常に噴射されているかを確認しがたい。さらに、この収納室は内容物の流路外に設けられているため、その収納室内の導出管の届かない部位に蓄積された内容物中の噴射剤が先に排出されて内容物中の原液が収納室内に残留する液残りなどの問題があった。
特許文献２には、押しボタンから手を離した後、一定時間噴射し続ける噴射用押しボタンが開示されている。この噴射用押しボタンは内容物（エアゾール組成物）を滞留させる空間の容積と噴霧口の口径が特定されている。しかし、このものも特許文献１と同様に噴霧口の口径を小さくするなどして噴射量を少なくした場合、正常に噴射されているかを確認しがたく、さらに滞留空間内の内容物中の噴射剤のみが先に噴射され、原液が残留しやすい。
また、特許文献３には通常のエアゾール容器に可撓性のチューブと、そのチューブを収納することができる蓋体とを備えたものが開示されている。これにより、可撓性チューブの長さの範囲で遠隔操作を可能とするものである。
【発明の開示】
【発明が解決しようとする課題】
【０００５】
本発明は、噴射操作後に一定量の内容物を継続的に微量噴射するものであって、液溜室（定量）に内容物が残留せず、また、目視によって噴射操作後の噴射状態や噴射量を確認することができるエアゾール容器を提供することを目的としている。
【課題を解決するための手段】
【０００６】
本発明の定量微量噴射エアゾール容器（請求項1）は、耐圧容器と、その耐圧容器の開口部に取り付けられるバルブと、そのバルブに取り付けられる噴射部材とからなるエアゾール容器であって、前記噴射部材が透光性を有する管状の液溜室と、その液溜室に設けられる微量噴射用の噴射孔とを備えており、噴射操作後に定量的に微量噴射することを特徴としている。ここでいう管状の液溜室とは、エアゾール組成物の流路上にある液溜室をいい、エアゾール組成物が滞留しないものである。
また、このようなエアゾール容器において、前記液溜室が細長管であり、この細長管はその全長が目視できるように配置されているものが好ましい（請求項２）。さらに、噴射操作後の微量噴射時間が３秒以上であるものが好ましい（請求項３）。
【発明の効果】
【０００７】
本発明のエアゾール容器（請求項１）は、噴射部材が管状の液溜室と、その液溜室に設けられる微量噴射用の噴射孔とを備えているため、エアゾール容器の噴射操作を行うことにより、噴射孔よりエアゾール組成物（原液と噴射剤）が微量噴射される。さらに、液溜室に微量噴射用の噴射孔が設けられているため、噴射中（短い操作時間内）に液溜室全体がエアゾール組成物によって満たされる。ここで噴射操作を停止させてバルブを閉鎖すると、噴射量が非常に少ないこと、さらに液溜室が管状でエアゾール組成物の流路上にあることから、この液溜室全体に満たされたエアゾール組成物は噴射剤がゆっくりと気化し、気化による推進力により微量噴射しながら噴射孔に向かって移動する。そのため、液溜室内はエアゾール組成物の原液のみ残留する液残りが生じることなく全量噴射することができる。つまり、液溜室に満たされたエアゾール組成物が、噴射操作後継続的に微量噴射される。特にエアゾール組成物中の噴射剤の配合量が６０重量％以上である場合は管状の液溜室の内径が細くてもエアゾール組成物が液溜室に残留しにくい。このように、このエアゾール容器は、この液溜室が定量室とエアゾール組成物の通路とを兼ねるものである。
【０００８】
また、前記液溜室が透光性を有しているため、噴射状態（噴射された霧）を目視では確認しにくい範囲での微量噴射量であっても、使用者は前述した液溜室内に満たされたエアゾール組成物の流動により目視でその噴射を確認することができ、そのエアゾール組成物の位置により操作後の噴射された量を確認することができる。
このようなエアゾール容器において、前記液溜室が細長管であり、この細長管の全長が目視できるように配置されている場合、細長管内全体を目視することができるため、前述の効果をより効果的に発揮する形態である（請求項２）。
また、噴射操作後の微量噴射時間が３秒以上である場合、噴射操作後少なくとも３秒間内容物の効果を継続させることができ、また細長管内での内容物の移動速度が目視で確認できる程度になる（請求項３）。
【発明を実施するための最良の形態】
【０００９】
次に図面を参照しながら本発明のエアゾール容器を説明する。図１は本発明のエアゾール容器の一実施形態を示す一部側面断面図、図２ａは本発明のエアゾール容器に用いられる噴射部材の他の実施形態を示す断面図、図２ｂ、図２ｃ、図２ｄはその噴射状態を示す側面図、図３ａは本発明のエアゾール容器の他の実施形態を示す正面図、図３ｂはその一部断面側面図、図４は本発明のエアゾール容器のさらに他の実施形態を示す一部断面側面図である。
【００１０】
図１のエアゾール容器１０は、耐圧容器１１と、その耐圧容器に取り付けられたバルブ１２と、そのバルブに取り付けられた噴射部材１３とからなる。そしてこのようなエアゾール容器１０にエアゾール組成物Ａ（原液と噴射剤）を充填し、エアゾール製品となる。
【００１１】
耐圧容器１１は、アルミニウム、ブリキなどの金属板を絞り加工またはインパクト加工などにより胴部と底部とを有する有底筒状に形成する。ついで、その胴部上端にネッキング加工などにより肩部および／または首部を形成し、首部上端にカーリング加工によりビード部を形成している。また、底部は中心に向けてテーパ状に盛り上がる山型に形成している。これにより、内圧に対する容器の耐圧性が高まり変形しにくい。なお、合成樹脂や耐圧ガラスなど、耐圧性を有する他の材質のものを用いてもよい。
バルブ１２は、耐圧容器１１のビード部にクリンプして固定されるマウンティングカップ１５と、そのマウンティングカップの中央に保持される筒状のハウジング１６と、そのハウジング内に上下移動自在に収容されるステム孔を有するステム１７と、そのステムを常時上向きに付勢するバネ（図示せず）と、前記ステム孔を塞ぐステムラバー（図示せず）と、前記ハウジングの下端から耐圧容器本体の底部に延びているディップチューブ１８とからなる従来公知のものである。
噴射部材１３は、ポリアミドやポリアセタールなどの合成樹脂製であり、前記バルブ１２のステム１７と係合するステム係合部２０と、吐出孔２１と、その吐出孔２１とステム係合部２０とを連通する噴射部材内通路２２とを有する本体２３と、その本体に連結され、透光性を有する細長管１４とからなる。また、吐出孔２１の吐出量（細長管が連結されていない状態、細長管への導入量）は０．１〜１０ｇ／ｓ、好ましくは０．２〜７ｇ／ｓであることが好ましい。
【００１２】
細長管１４は、長さが３〜７０ｃｍ、好ましくは５〜５０ｃｍであり、その内径が０．１〜１５ｍｍである半透明または透明なポリエチレン、ポリプロピレンなどのポリオレフィン、ポリアミドなどの合成樹脂やガラスなどからなる透光性を有するものであり、この細長管１４の容積は０．１〜１００ｍｌ、好ましくは０．５〜５０ｍｌである。特に細長管１４の内径が一律であるとき、この細長管に満たされたエアゾール組成物は滞留せず、常に噴射孔側に向かって移動しやすくなる。また、内径を噴射孔側に向かって大きくなるテーパ状にしてもよく、小さくなるテーパ状にしてもよい。この細長管１４は、その一端を本体２３に嵌入することにより本体２３と連結している。また、この吐出孔２１側の近辺にはリップ２５が設けられており、これにより、本体２３と細長管１４との係合をより強固にすると同時に、これらの間をシールしている。また細長管１４の他端は後述する微量噴射用の噴射孔部材２６と連結している。このように細長管１４の他端を微量噴射用の噴射孔部材２６と連結することにより細長管１４自体が本願請求項１に記載されている液溜室となる。また、この細長管１４は剛性を有している。このように、剛性を有することにより、細長管１４に満たされるエアゾール組成物の容量が毎回同じとなり、噴射操作毎に定量の内容物の噴射を実現する。また、細長管が折れ、内容物が滞留することによる、内容物の残留を防止する。しかし、可撓性を有する合成樹脂材料を用いても構わない。また、細長管はその内部が見えるものであればよく、細長管断面の上半分だけを透明または半透明にしても構わない。
【００１３】
噴射孔部材２６は、有底筒状のものであり、側面に噴射孔２７が設けられており、この噴射孔部材２６に細長管１４を嵌入することにより噴射孔部材２６と細長管１４を連結している。噴射孔２７を側面に設けているため、細長管１４に導入されたエアゾール組成物は、噴射孔部材２６の底部に衝突し、その反作用により噴射孔への流量が抑制される。そのため、使用する温度（季節、場所、時間などの環境）によりエアゾール製品の圧力が変化しても、安定な噴射量、噴射時間で噴射することができる。また噴射孔２７は、ガラスまたはセラミック材料によるキャピラリーチューブや焼結体等の流量抑制部材を嵌入したものである。また、流量抑制部材を設けずに噴射孔径を０．０２〜０．２ｍｍ、好ましくは０．０３〜０．１５ｍｍ、特に好ましくは０．０５〜０．１ｍｍと小さくしてもよい。この噴射孔２７は毎秒の噴射量が０．０００１〜０．５ｇ／ｓ、好ましくは０．０００５〜０．１ｇ／ｓであり、噴射部材の吐出孔の吐出量に対して１／４０００〜１／４である。噴射孔は噴射孔部材の底部に設けてもよく、また、複数個設けてもよい。また、細長管を有底筒状あるいは先端をヒートシールなどで閉じ、底部や先端付近の側面に噴射孔を設けてもよい。この場合噴射孔部材は不要である。
【００１４】
このエアゾール容器１０へのエアゾール組成物の充填方法は、始めに耐圧容器１１に原液を充填し、バルブ１２をエアゾール容器の開口部に仮載置する。次にバルブ１２と耐圧容器１１の間から噴射剤を充填する（アンダーカップ充填）。そして、バルブ１２を上から押圧し、バルブのマウンティングカップを耐圧容器１１のビードにクリンプして固定する。さらに細長管１４を取り付けた噴射部材をバルブのステム１７に取り付けてエアゾール製品が完成する。
【００１５】
このように構成されたエアゾール容器１０は次のように作用する。このエアゾール組成物を充填したエアゾール製品を用意し、この噴射部材１３を押圧し、噴射操作を行う。この噴射操作により噴射部材１３と連結しているステム１７が一緒に下がり、バルブ１２のステム孔が開かれる。これにより、耐圧容器１１内のエアゾール組成物はバルブ１２、噴射部材内通路２２を介して細長管１４に至り、噴射孔部材２６の噴射孔２７から噴射される。そして、噴射孔２７からの噴射を確認した後に噴射操作を停止すると、噴射部材内通路２２と細長管１４内に導入されたエアゾール組成物が噴射孔２７から徐々にそして継続的に噴射される。つまり、使用者は噴射操作により任意の量のエアゾール組成物を噴射させることができ、さらに、操作後、細長管の容量分（正確にはステム孔から噴射孔までの容量）を継続的に微量噴射することができる。噴射操作停止後から噴射が停止するまでの噴射継続時間はエアゾール製品の用途や目的などにより異なり、例えばトイレ用消臭剤や芳香剤など用時に効果を得たい場合は、３秒〜５分、さらには５秒〜３分程度が好ましい。また、室内用消臭剤や芳香剤、殺虫剤などの長時間あるいは常時に効果を得たい場合は、３０分から１日、さらには１時間〜半日程度が好ましい。
【００１６】
このエアゾール容器１１において、噴射孔２７とステム１７とを連結する細長管１４が配置されているため、使用者が噴射操作を停止しバルブを閉じると、細長管内のエアゾール組成物は噴射剤（液化ガス）の気化による推進力によって大気と連通している噴射孔から噴射される。本発明では噴射孔を境界とした大気と細長管との圧力差が大きく、細長管がエアゾール組成物の流路上にあるため、細長管の基部側では液化ガスが液体状態で長く存在している。そのため、細長管中に蓄積されている原液に噴射剤の推進力が伝わりやすく、細長管に原液が残留しにくい。
【００１７】
またエアゾール容器は半透明または透明の細長管を用いているため、この細長管を通して液状のエアゾール組成物が噴射孔側に移動するのを確認することができる。特に噴射された霧を目視で確認しにくい程度の微量噴射（０．０１ｇ／ｓ以下）の場合であっても、細長管の内径を小さくすることによりエアゾール組成物の移動を目視で確認することができる。そのため、細長管の噴射部材側のエアゾール組成物の位置を確認することにより、操作後の噴射量と、確認後の噴射時間がわかる。そして、この細長管内のエアゾール組成物が無くなると噴射が停止する。
【００１８】
前記エアゾール組成物としては、有効成分を配合した原液と噴射剤とからなる。また、エアゾール組成物に細長管と異なる色を着色させてもよい。これにより細長管内のエアゾール組成物の移動をより明確に確認することができる。
前記有効成分は、製品の用途（たとえば、消臭剤、芳香剤、清涼化剤、殺菌消毒剤、殺虫剤、害虫忌避剤などの家庭や車内などで使用する空間用製品）や目的などに応じて適宜選択して溶媒に配合される。前記有効成分としては、たとえば、ラウリル酸メタクリレート、安息香酸メチル、フェニル酢酸メチル、ゲラニルクロトレート、ミリスチン酸アセトフェノン、酢酸ベンジル、プロピオン酸ベンジル、茶エキス、酸化銀などの消臭成分、パラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾール、銀などの殺菌・防腐成分、メントール（ｌ−メントール、ｄｌ−メントールなど）、カンフル（ｄ−カンフル、ｄｌ−カンフル）などの清涼化成分、ハッカ油、ユーカリ油、オレンジ油、ローズマリー油などの精油成分、Ｎ、Ｎ−ジエチル−ｍ−トルアミド（ディート）、カプリル酸ジエチルアミドなどの害虫忌避成分、フタルスリン、イミプロトリン、アレスリン、ペルメトリン、シスメスリン、プロパルスリン、レスメトリン、ｄ−フェノトリン、テフルスリン、ベンフルスリン、ネオピナミンフォルテ、クリスロンフォルテなどの殺虫成分、サイネピリン、ピペロニルブトキサイト、オクタクロロジプロピルエーテルなどの殺虫効力増強成分、天然香料、合成香料などの香料などがあげられる。
【００１９】
前記溶媒としては、たとえば、エタノールやイソプロパノールなどの低級アルコール、グリセリンやプロピレングリコール、１，３−ブチレングリコールなどの多価アルコール、精製水、イオン交換水などの水、イソペンタンや灯油、イソパラフィン、流動パラフィンなどの炭化水素、ミリスチン酸イソプロピルやパルミチン酸イソプロピル、イソノナン酸イソノニルなどのエステル油、メチルポリシロキサン、デカメチルテトラシロキサン、オクタメチルシクロテトラシロキサンなどのシリコーンオイルなどがあげられ、これらのうち細長管内に残留しにくい点から揮発性を有する低級アルコールや炭化水素、シリコーンオイルが好ましい。
【００２０】
前記原液には、有効成分以外にも、非イオン性界面活性剤やシリコーン系界面活性剤などの界面活性剤、ヒドロキシエチルセルロースやキサンタンガム、カルボキシビニルポリマーなどの増粘剤、クエン酸やトリエタノールアミン、ジイソプロパノールアミンなどｐＨ調整剤などの補助成分を適宜配合することができる。
前記原液は、有効成分や補助成分などを溶媒に溶解あるいは分散させることにより調製することができる。なお、原液としては、配合した成分が溶媒に溶解した均一系が好ましいが、後述する噴射剤に溶解してエアゾール組成物全体として均一系となるものであれば、原液は不均一系でも良い。また、溶媒を用いずに、有効成分のみを原液としても良い。
【００２１】
前記噴射剤としては、たとえば、液化石油ガス、ジメチルエーテル、液化石油ガスとジメチルエーテルの混合物などの液化ガスを用いることが好ましい。また、低温時も性能を低下させることなく噴射できるように、窒素ガス、炭酸ガス、亜酸化窒素ガス、酸素ガス、圧縮空気などの圧縮ガスを配合しても良い。
【００２２】
前記原液と噴射剤との配合比は、４０／６０〜１／９９（重量比）、さらには３０／７０〜５／９５であることが好ましい。配合比が４０／６０より大きくなると（原液の配合量が大きくなると）微量噴射したときに噴射された霧が拡がりにくく、有効成分の効果が得られにくい。また、細長管内で原液が残留しやすくなる。一方、配合比が１／９９より小さくなると原液（有効成分）の配合量が少なくなり、所望の効果を得るには多量に噴射する必要がある。
【００２３】
図２に示す噴射部材３０は、図１の耐圧容器のビード部外周とバルブのステムに取り付けることができるものであり、通常噴射と定量微量噴射と切り替えることができる。この噴射部材３０は円筒状の外枠３１と、その外枠内の中心に配置され、上下方向に移動自在である押しボタン３２と、その押しボタンに取り付けられた切替部材３３とからなる。
【００２４】
外枠３１は、耐圧容器のビード部と係合する容器係合部３４を有しており、下端外周３５が耐圧容器の肩部と当接する。
押しボタン３２は、バルブのステムと係合するステム係合部３６と、切替部材３３と係合する吐出孔３７と、そのステム係合部と吐出孔とを連通する押しボタン通路３８とを有する。
【００２５】
切替部材３３は、一端が押しボタンの吐出孔に嵌入される基材３９と、その基材に対して９０度回動自在となるように装着されるノズル４０とからなり、このノズル４０は通常噴射と定量微量噴射とを切り替えるスイッチ４１と、微量噴射用の噴射孔部材４６が取り付けられているノズル本体４２とを有している。
【００２６】
スイッチ４１は下部が円筒状であり、ノズル本体と係合するノズル係合部４５を有しており、上部が円柱状であり、ノズル４０の回動軸となっている。また、スイッチ４１の上部には、スイッチの軸線と垂直方向に貫通し、スイッチの上部円柱の直径上に形成される通常噴射通路４３と；その通常噴射通路の周りに環状に設けられた溝４４ａと、スイッチの上端から溝４４ａまでスイッチの軸線方向に延びるスイッチ内上通路４４ｂと、スイッチの下端から溝４４ａまでスイッチの軸線方向に延びるスイッチ内下通路４４ｃとからなる微量噴射通路とを有している。なお、通常噴射通路４３の先端には孔径が０．２〜１．０ｍｍの噴射孔４３ａを有する円筒状の噴射孔部材４３ｂが装着されている。そして、この通常噴射通路４３と微量噴射通路とは互いに独立である。この噴射孔はストレート形状でもよく、テーパ状でもよい。また、メカニカルブレークアップ機構を設けてもよい。
【００２７】
ノズル本体４２は合成樹脂やガラス製の透明または半透明なものであり、先端には微量噴射用の噴射孔４７を有する噴射孔部材４６が設けられている。その他の構成は図１のエアゾール容器の細長管と実質的に同じである。このノズル本体４２内の容量は、エアゾール容器のステムからノズルのスイッチまでの容量より大きく設けられている。
【００２８】
このように構成されているため、ノズル４０の先端が下を向いている場合、基材内通路３９ａは、スイッチの通常噴射通路４３を介して噴射孔部材４３ｂの噴射孔４３ａまで連通する。それに対して、ノズルを９０度回動させて、ノズル４０を水平に向かせた場合、基材内通路３９ａは、スイッチの微量噴射通路（４４ａ、４４ｂ、４４ｃ）を介してノズル本体内から噴射孔部材４６の噴射孔４７まで連通する。
【００２９】
そのため、この噴射部材３０をエアゾール容器に取り付けて、ノズル４０の先端が下を向いた状態で押しボタン３２を押圧すると（噴射操作）、エアゾール組成物はバルブのステムから押しボタン内通路３８、基材内通路３９ａを介して通常噴射通路４３に流れ、噴射孔４３ａから通常噴射される（図２ｂ参照）。また、この状態からノズルが水平に向くように９０度回動させて噴射操作を行うと、エアゾール組成物はバルブのステムから押しボタン通路３８、基材内通路３９ａを介して微量噴射通路（４４ａ、４４ｂ、４４ｃ）に流れ、ノズル内を満たす。ノズルが満たされると噴射孔部材４６の噴射孔４７から微量噴射が開始される（図２ｃ参照）。そして、噴射操作をやめるとノズル内のエアゾール組成物が継続して微量定量噴射される。このものはノズル４０内を目視することにより噴射操作後の噴射状態や噴射量を確認することができる。また、噴射操作後すぐにノズル４０を下に向けるとスイッチ内上通路４４ｂからノズル内に満たされた定量のエアゾール組成物を短時間で噴射させることができる。
この噴射部材は外枠を半透明な材質で構成するなど、全体的に半透明にすることが望ましい。
【００３０】
図３のエアゾール容器５０は、円柱状の噴射部材５１と、その噴射部材の上面に渦巻状に巻いて配置されている細長管５２とを備えており、他の構成は図１のエアゾール容器１０と実質的に同じものである。
噴射部材５１は、底部中心に設けられたバルブのステム１７と係合するステム係合部５３と、天部中心に設けられた吐出孔５４と、そのステム係合部と吐出孔とを連通する噴射部材通路５５とからなる。また、噴射部材５１の上面にはその側縁に沿って形成される壁５６が形成されている。
【００３１】
細長管５２は、可撓性のチューブを渦巻状に巻いた透明または半透明のものであり、噴射部材５１の吐出孔５４と係合している渦巻中心に配置された一方の端部５８と、噴射孔５７を備えている渦巻の最外層に配置された他方の端部５９とからなる。噴射孔５７は他方の端部５９に嵌入されている図１と実質的に同じ流量抑制部材からなる。このように巻きつけることにより液溜室の容量を増やすことができる。また、細長管５２を平面状に巻きつけることにより、細長管５２内の内容物が自重に逆らって移動しないためスムーズに流動する。また、このときこの細長管５２は垂直方向には重ならないものとする。これにより細長管の全体をエアゾール容器の上から目視することができ、細長管内の内容物の噴射状況および流動状態を確認することができる。この細長管５２は渦巻状に巻いた後、噴射部材５１と糊などを用いて固定してもよい。固定することにより細長管５２が噴射部材５１から外れることを防止する。
このエアゾール容器５０は、噴射部材５１あるいは細長管５２を上から押圧することにより噴射操作を行うことができる。
【００３２】
エアゾール容器５０では、液溜室として可撓性のチューブを用いたが、渦巻状の通路を有する円板状の液溜室を噴射部材の上面に設置してもよい。この液溜室は合成樹脂を射出成形することによって生成することができる。このように本願の請求項１にいう管状液溜室とはエアゾール組成物の流路上にある液溜室をいい、エアゾール組成物が滞留しないものである。
【００３３】
図４のエアゾール容器６０は、円錐状の噴射部材６１と、その噴射部材の側面に巻いて配置された可撓性の細長管６２とからなり、他の構成は図１のエアゾール容器１０と実質的に同じものである。
噴射部材６１は、底部中心に設けられたステム１７と係合するステム係合部６３と、下部側面に設けられた吐出孔６４と、ステム係合部と吐出孔とを連結する噴射部材内通路６５とからなる。また、底部側縁には押圧部６６が設けられている。
【００３４】
細長管６２は、可撓性のチューブを噴射部材の側面に円錐状に巻いた透明または半透明のものであり、噴射部材６１の吐出孔６３と係合している一方の端部６７と、噴射孔６８を備えている円錐の頂点に配置された他方の端部６９とからなる。噴射孔６８は図２のエアゾール容器と同様に流量抑制部材が嵌入されている。このように構成されているため図２のエアゾール容器３０と同様に、液溜室（細長管）の容量を増やすことができ、かつ、その液溜室（細長管）内の内容物の流動状態を確認することができる。また、このように円錐状に細長管は巻かれているため、側面からも細長管内を目視することができ好ましい。また、この細長管４２も噴射部材４１に固定されているのが好ましい。
【図面の簡単な説明】
【００３５】
【図１】本発明のエアゾール容器の一実施形態を示す一部側面断面図である。
【図２】図２ａは本発明のエアゾール容器に用いられる噴射部材の他の実施形態を示す断面図であり、図２ｂ、図２ｃ、図２ｄは図２ａの噴射状態を示す側面図である。
【図３】図３ａは本発明のエアゾール容器の他の実施形態を示す正面図であり、図３ｂはその一部断面側面図である。
【図４】図４は本発明のエアゾール容器のさらに他の実施形態を示す一部断面側面図である。
【符号の説明】
【００３６】
１０  エアゾール容器
１１  耐圧容器
１２  バルブ
１３  噴射部材
１４  細長管
１５  マウンティングカップ
１６  ハウジング
１７  ステム
１８  ディップチューブ
２０  ステム係合部
２１  吐出孔
２２  噴射部材内通路
２３  本体
２５  リップ
２６  噴射孔部材
２７  噴射孔
３０  噴射部材
３１  外枠
３２  押しボタン
３３  切替部材
３４  容器係合部
３５  外周
３６  ステム係合部
３７  吐出孔
３８  押しボタン内通路
３９  基材
３９ａ  基材内通路
４０  ノズル
４１  スイッチ
４２  ノズル本体
４３  通常噴射通路
４３ａ  噴射孔
４３ｂ  噴射孔部材
４４ａ  溝
４４ｂ  スイッチ内上通路
４４ｃ  スイッチ内下通路
４５  ノズル係合部
４６  噴射孔部材
４７  噴射孔
４９  天部
５０  エアゾール容器
５１  噴射部材
５２  細長管
５３  ステム係合部
５４  吐出孔
５５  噴射部材内通路
５６  壁
５７  噴射孔
５８  一方の端部
５９  他方の端部
６０  エアゾール容器
６１  噴射部材
６２  細長管
６３  ステム係合部
６４  吐出孔
６５  噴射部材内通路
６６  押圧部
６７  一方の端部
６８  噴射孔
６９  他方の端部
【図１】
2005218940.tif 000003
【図２】
2005218940.tif 000004
【図３】
2005218940.tif 000005
【図４】
2005218940.tif 000006